(57)【要約】【課題】広告の宣伝効果が高いウェブページを提供するシステムを提供する。【解決手段】複数の広告データを保存するデータベース１２と、サービス利用者に対してウェブページを割り当てるウェブページ割当部と、サービス利用者に関連する情報を保持するサービス利用者情報記憶部１０Ａ，１０Ｂであって、各サービス利用者に関連する情報には、データベース１２に保存された複数の広告データのうち、当該サービス利用者によって選択された１つ以上の広告データが対応付けられている、サービス利用者情報記憶部１０Ａ，１０Ｂと、あるサービス利用者に割り当てたウェブページへのアクセスを受け付けると、サービス利用者情報記憶部１０Ａ，１０Ｂにおいて当該サービス利用者の対応付けられた広告を、アクセスを受け付けた初期画面において配信する広告配信部とを備える。【選択図】図１
2010169984.tif 000002
【特許請求の範囲】
【請求項１】
サービス利用者が情報発信を行うことができるウェブページを提供するシステムであって、
複数の広告データを保存するデータベースと、
サービス利用者に対してウェブページを割り当てるウェブページ割当部と、
サービス利用者に関連する情報を保持するサービス利用者情報記憶部であって、各サービス利用者に関連する情報には、前記データベースに保存された複数の広告データのうち、当該サービス利用者によって選択された１つ以上の広告データが対応付けられている、サービス利用者情報記憶部と、
あるサービス利用者に割り当てたウェブページへのアクセスを受け付けると、前記サービス利用者情報記憶部において当該サービス利用者の対応付けられた広告を、アクセスを受け付けた初期画面において配信する広告配信部とを備えた、ウェブページ提供システム。
【発明の詳細な説明】
【技術分野】
【０００１】
本発明は、サービス利用者が情報発信を行うことができるウェブページを提供するシステムに関する。
【背景技術】
【０００２】
インターネットによる情報発信は、個人によるものが増大している。これに伴い、会員が写真をアップロードなどして情報発信できる会員用のウェブページを提供するサイトが増えている。このようなサイトのサービスを利用する会員は、例えばＱＲコードなどを用いてウェブページのアドレスを知人などに知らせて、自分用のウェブページに訪問してもらい、例えばアップロードした写真を知人に閲覧してもらうことができる。そして、これらのサイトは、会員に対するサービス料金を低価格または無料で運営するために、会員用のウェブページに広告を配信させて広告収入を得る場合が多い。
【０００３】
一方、消費者が所望する広告を宣伝できるようにするシステムも提案されている（特許文献１）。
【先行技術文献】
【特許文献】
【０００４】
【特許文献１】特開２００２−２４５３４１号公報
【発明の概要】
【発明が解決しようとする課題】
【０００５】
しかし、上記特許文献１の場合、メールによる広告配布であり、会員は専用のソフトをダウンロードする必要があるため、会員にとって煩雑な処理が必要になる。
【０００６】
一方、サービスを提供するサイトが会員用のウェブページに広告を掲載させる場合、これら広告は全ての会員に対して一般的に同一である。また、会員が所望の広告を選ぶことができる場合であっても、会員用のウェブページうちの最初のアクセス画面であるトップページには掲載されない。
【０００７】
これに対して、会員の立場からは、自分用のウェブページは知人などに閲覧されるため、通常は自分のセンスに合致した広告を掲載したいものである。したがって、全ての会員が同一の広告を配信するのでは、多くの会員が不本意な広告を掲載することになる。また、広告主の立場からは、広告がなるべく多くの人の目に触れることが宣伝につながるため、広告は最初のアクセス画面に掲載されて配信されるのが望ましい。
【０００８】
そこで、本発明は、広告の宣伝効果が高いウェブページを提供するシステムを提供することを目的とする。
【課題を解決するための手段】
【０００９】
上記目的を達成するために、本発明に係るウェブページ提供システムは、サービス利用者が情報発信を行うことができるウェブページを提供するシステムであって、複数の広告データを保存するデータベースと、サービス利用者に対してウェブページを割り当てるウェブページ割当部と、サービス利用者に関連する情報を保持するサービス利用者情報記憶部であって、各サービス利用者に関連する情報には、前記データベースに保存された複数の広告データのうち、当該サービス利用者によって選択された１つ以上の広告データが対応付けられている、サービス利用者情報記憶部と、あるサービス利用者に割り当てたウェブページへのアクセスを受け付けると、前記サービス利用者情報記憶部において当該サービス利用者の対応付けられた広告を、アクセスを受け付けた初期画面において配信する広告配信部とを備える。
【００１０】
本発明によれば、会員によって選択された広告データが会員に関連する情報に対応付けられるので、会員は、複数の広告データのうち、気に入った広告データを選ぶことができる。これを別の面から捉えると、広告データを選択するために、会員は必然的に複数の広告データを注意深く詳細に閲覧するため、広告の宣伝効果が増大する。また、アクセスを受け付けた初期画面において広告を配信するので、アクセスした者は必ず広告を閲覧することになり、広告の宣伝効果がさらに増大する。
【図面の簡単な説明】
【００１１】
【図１】本発明の一実施形態に係る会員が情報配信するウェブページを管理するシステムの構成図である。
【発明を実施するための形態】
【００１２】
本発明の実施形態を図面に基づいて説明する。
図１に、本発明の会員（サービス利用者）が情報配信するウェブページを管理するシステムの構成を示す。サービス提供システム１は携帯電話向けにサービスを提供するサイトを構築しているサーバであり、インターネットのようなネットワーク２を介して、多数の携帯電話３との通信が可能である。なお、サービス提供システム１がサービスを提供する対象は、携帯電話３の他にパーソナルコンピュータなどであってもよい。
【００１３】
サービス提供システム１は、例えば、会員向けに、ウェブページを提供するサイトを運営しており、このウェブページでは、静止画像や動画像を、サービス提供システム１のソフトウェアによって、極めて簡易な方法でその会員専用のウェブページにアップロードすることができる。これに対して、サービス提供システム１は、各会員に関連する情報を保持する会員情報記憶部１０Ａ，１０Ｂ，…を有し、各会員の情報を管理する。会員に関連する情報には、例えば会員に割り当てたウェブページのＵＲＬが含まれる。
【００１４】
サービス提供システム１は、また、データベース１２を備えており、このデータベース１２は、複数の企業の複数の商品についての広告データである広告ａ，広告ｂ，広告ｃ，広告ｄ，…を保存している。この広告データは、例えば動画像である。
【００１５】
会員情報記憶部１０Ａ，１０Ｂ，…は、それぞれ広告データ１０Ａａ，１０Ｂａ，…を有し、これら広告データ１０Ａａ，１０Ｂａ，…には、広告ａ，広告ｂ，広告ｃ，広告ｄ，…のいずれか１つが対応付けられている。これは、各会員に対して複数の広告のうちの１つが選択されていることを意味するが、詳細は後述する。なお、図１では、会員Ａが広告ｄ、会員Ｂが広告ａを選択している例を示している。
【００１６】
インターネット２を介してシステム１とのアクセスが可能な携帯電話３のうち、ある１つの携帯電話３が、例えば、ある特定の会員Ａから、この会員Ａのシステム１におけるウェブページのＵＲＬ（Uniform Resource Locator）を知らされて、このウェブページにアクセスするとする。なお、ＵＲＬの通知の仕方は、ＵＲＬそのものをメールなどによって通知する以外に、このＵＲＬを指示するＱＲコードが印字された紙媒体を渡す方法などがある。
【００１７】
次に、このシステムの処理の流れを示す。
会員Ａが、システム１が提供するサービスの会員になる際には、広告を自分用のウェブページに掲載することに同意するとともに、データベース１２に保存されている多数の広告から、１つの広告を選択する。すなわち、広告は多様な企業および多様な商品からなるが、会員Ａは、気に入った広告つまり自分用のウェブページに掲載されたい、もしくは掲載されてもよいと思うことができる広告を１つ選択する。このように会員が複数の広告から１つの広告を選択するため、通常、会員はデータベース１２に保存されている広告全てを注意深く詳細に閲覧する。したがって、会員に対してこれら広告による宣伝が行われ、広告主にとっては宣伝効果が大きくなる。なお、本実施形態では広告を１つ選択するものとしたが、複数の広告を選択する構成としてもよい。
【００１８】
このように、会員は、広告を１つ選んだ状態で、会員用に割り当てられたウェブページに、例えば自分の知人に見てもらいたい写真や動画などをアップロードしておく。そして、会員が知人にＱＲコードを渡すなどして、このサイトにアクセスするためのＵＲＬを普及する。
【００１９】
その後、ＱＲコードなどによってＵＲＬを入手した知人などの携帯電話３から、そのＵＲＬのウェブページがアクセスされると、アクセスされたページにおいて広告ｄが配信される。このように、アクセスされる初期画面に広告を掲載しているため、この広告は必ず閲覧してもらうことができる。
【００２０】
また、このように、知人などが必ず閲覧する広告であることより、各会員のセンスを周囲に示すことになる。したがって、複数の広告から１つ広告を選ぶ際に会員は慎重にならざるを得ず、会員は必然的に複数の広告全てを注意深く詳細に閲覧する。
【００２１】
携帯電話３からアクセスしている特定の会員の知人は、以上のように会員が選択した広告を必ず閲覧してから、その会員の例えばアップロードしている写真や動画を閲覧することができる。
【００２２】
以上のように運用されているシステムにおいて、会員Ａは、自分用のウェブページの広告を選択し直すことも可能である。会員Ａがサービス提供システム１にアクセスして、そのウェブページにおいて広告を選択し直す手続きを行うと、サービス提供システム１では、会員Ａの管理データ１０Ａの広告データ１０Ａａにおいて広告ｄを対応付けていたものを、新たに選択し直された広告ｂに変更する。この処理の後には、会員Ａのウェブページにアクセスされた際には、広告ｄではなく、広告ｂが配信される。
【符号の説明】
【００２３】
１    サービス提供システム
１２  データベース
【図１】
2010169984.tif 000003